(57)【要約】【課題】純正アームレストを取り外したり保管したりしなくても、純正アームレストが付いたままで幅を拡張することができ、安価に構成できる拡幅用アタッチメントを提供する。【解決手段】  拡幅用アタッチメント２０は、アタッチメント本体２１と、アタッチメント本体２１を純正アームレスト１０に取り付けるための取付部としてのボスプレート３５と、ボスプレート３５を純正アームレスト１０に取り付けるための取付用ボルト４２と、アタッチメント本体２１を覆うカバー５０とからなる。アタッチメント本体２１は、純正アームレスト１０の上面の上方に配される該上面の幅より大きい幅を有する板状の上面部２３を含む周面体２２と、該周面体２２の内部の幅方向中間部に設けられて、該内部を内側面側の純正アームレスト挿入空間２９と外側面側の空間３０とに隔てる隔壁２７とからなる。【選択図】図１
2011051556.tif 000002
【特許請求の範囲】
【請求項１】
座席（１）に取り付けられた純正アームレスト（１０）に取り付けられる取付部（３５）と、取付部（３５）に連結されて純正アームレスト（１０）の上面の上方に配される、該上面の幅より大きい幅を有する板状の上面部（２３）とを備えることを特徴とするアームレストの拡幅用アタッチメント。
【請求項２】
アタッチメント本体（２１）と、アタッチメント本体（２１）を純正アームレスト（１０）に取り付けるための取付部としてのボスプレート（３５）と、ボスプレート（３５）を純正アームレスト（１０）に取り付けるための取付用ボルト（４２）と、アタッチメント本体（２１）を覆うカバー（５０）とからなる拡幅用アタッチメント（２０）である。
アタッチメント本体（２１）は、それぞれ純正アームレスト（１０）の上面の上方、前面の前方、下面の下方、及び後面の後方に配される、該上面の幅より大きい幅を有する上面部（２３）、前面部（２４）、下面部（２５）、及び後面部（２６）が、純正アームレスト（１０）の側面視より一回り大きい周状に連続してなる周面体（２２）と、該周面体（２２）の内部の幅方向中間部に設けられて、該内部を純正アームレスト（１０）が挿入される内側面側の純正アームレスト挿入空間（２９）と外側面側の空間（３０）とに隔てる隔壁（２７）とからなり、
ボスプレート（３５）は、隔壁（２７）の基部に取り付けられるプレート部（３６）と、該プレート部（３６）の中心部から突出する筒状のボス部（３７）とからなり、
取付用ボルト（４２）は、ボス部（３７）に挿通して純正アームレスト（１０）を取り付けるものであることを特徴とするアームレストの拡幅用アタッチメント。
【請求項３】
上面部（２３）に対する取付部（３５）の位置を上下方向に変更可能に構成した請求項１記載のアームレストの拡幅用アタッチメント。
【請求項４】
隔壁（２７）におけるボスプレート（３５）の取付位置を上下方向に変更可能に構成した請求項２記載のアームレストの拡幅用アタッチメント。
【発明の詳細な説明】
【技術分野】
【０００１】
本発明は、自動車等の乗物用、事務用、観覧用等の各種用途の座席に取り付けられたアームレストを拡幅する技術に関する。
【背景技術】
【０００２】
自動車の座席には、メーカー純正で、背当の側部にアームレストが取り付けられたものがある。しかし、利用者によっては、そのアームレストの幅が狭いと感じ、より幅広のアームレストを望むことがある。そこで、ディーラーオプション品として、又はサードパーティー製品として、純正のアームレストを取り外して付け替えるタイプの幅広のアームレストが用意されている。
【０００３】
また、特許文献１には、背当に回動可能に支持された第１アームレストに対し、その上面に重ねた折り畳み状態と車幅方向に反転させた展開状態とに変更できるようにヒンジを介して第２アームレストを設け、第１アームレストと展開状態の第２アームレストとで幅広にするものが開示されているが、これをメーカー純正で用意するにしても付け替えるタイプで用意するにしても高価になり、また、２つのアームレストの折り畳み状態における上面高さが高くなりすぎて肘をおきにくくなる問題もある。
【先行技術文献】
【特許文献】
【０００４】
【特許文献１】特開２００４−２３７８８８号公報
【発明の概要】
【発明が解決しようとする課題】
【０００５】
上述した純正アームレストを取り外して付け替えるタイプの幅広のアームレストには、次のような問題があった。
（１）取り外した純正アームレストを保管しなくてはならない。
（２）幅広のアームレスト全体を所要の強度に構成する必要があり、高価である。
（３）純正アームレストを繰出状態と収納状態とに傾動する傾動機構（傾動機構がさらに角度調節ロック機構を備えている場合もある）が、仮に座席側ではなく純正アームレスト側に設けられていた場合には、付け替えるアームレストに回動機構が備わっていないと傾動させることができなくなる。また、付け替えるアームレストに回動機構を設けると高価になる。
（４）（例えば運転席の）背当の左側面部に取り付けられた左腕用の純正アームレストに対して付け替えるアームレストと、（例えば助手席の）背当の左側面部に取り付けられた左腕用の純正アームレストに対して付け替えるアームレストの、２種類を用意する必要がある。
【０００６】
そこで、本発明の目的は、純正アームレスト（メーカー純正で座席に既に取り付けられているアームレスト）を取り外したり保管したりしなくても、純正アームレストが付いたままで幅を拡張することができ、従って純正アームレストに傾動機構が設けられている場合にはそれを利用することができ、また、安価に構成することもできる拡幅用アタッチメントを提供することにある。さらに、１種類の拡幅用アタッチメントで、左腕用の純正アームレストにも右腕用の純正アームレストにも取り付けることができるようにすることにある。
【課題を解決するための手段】
【０００７】
［１］座席（１）に取り付けられた純正アームレスト（１０）に取り付けられる取付部（３５）と、取付部（３５）に連結されて純正アームレスト（１０）の上面の上方に配される、該上面の幅より大きい幅を有する板状の上面部（２３）とを備えることを特徴とするアームレストの拡幅用アタッチメント。
【０００８】
［２］アタッチメント本体（２１）と、アタッチメント本体（２１）を純正アームレスト（１０）に取り付けるための取付部としてのボスプレート（３５）と、ボスプレート（３５）を純正アームレスト（１０）に取り付けるための取付用ボルト（４２）と、アタッチメント本体（２１）を覆うカバー（５０）とからなる拡幅用アタッチメント（２０）であって、
アタッチメント本体（２１）は、それぞれ純正アームレスト（１０）の上面の上方、前面の前方、下面の下方、及び後面の後方に配される、該上面の幅より大きい幅を有する板状の上面部（２３）、前面部（２４）、下面部（２５）、及び後面部（２６）が、純正アームレスト（１０）の側面視より一回り大きい周状に連続してなる周面体（２２）と、該周面体（２２）の内部の幅方向中間部に設けられて、該内部を純正アームレスト（１０）が挿入される内側面側の純正アームレスト挿入空間（２９）と外側面側の空間（３０）とに隔てる隔壁（２７）とからなり、
ボスプレート（３５）は、隔壁（２７）の基部に取り付けられるプレート部（３６）と、該プレート部（３６）の中心部から突出する筒状のボス部（３７）とからなり、
取付用ボルト（４２）は、ボス部（３７）に挿通して純正アームレスト（１０）を取り付けるものであることを特徴とするアームレストの拡幅用アタッチメント。
【０００９】
純正アームレスト（１０）に拡幅用アタッチメント（２０）を取り付けたときに、肘を置く上面高さが高くなりすぎないようにするため、板状の上面部（２３）を採用しているが、さらに次のように構成することが好ましい。
（ア）板状の上面部（２３）の厚さは、２〜６ｍｍとすることが好ましい。
（イ）板状の上面部（２３）の下面と純正アームレスト（１０）の上面との間の隙間距離は、０〜３ｍｍとすることが好ましい。
（ウ）カバー（５０）のうち板状の上面部（２３）を覆う部分の厚さは、５〜２５ｍｍとすることが好ましく、８〜１５ｍｍがより好ましい。
【００１０】
ここで、左腕用にも右腕用にも対応するため、上面部（２３）に対する取付部（３５）の位置を上下方向に変更可能に構成することが好ましい。例えば、上記［２］においては、隔壁（２７）におけるボスプレート（３５）の取付位置を上下方向に変更可能に構成することが好ましい。アタッチメント本体（２１）は左腕用と右腕用とで反転させて用いる。
【発明の効果】
【００１１】
本発明によれば、純正アームレストを座席から取り外したり保管したりしなくても、純正アームレストが付いたままで幅を拡張することができ、従って純正アームレストに傾動機構が設けられている場合にはそれを利用することができ、また、安価に構成することもできる拡幅用アタッチメントを提供することができる。さらに、上面部に対する取付部の位置を上下方向に変更可能に構成すれば、１種類の拡幅用アタッチメントを、左腕用の純正アームレストにも右腕用の純正アームレストにも取り付けることができる。
【図面の簡単な説明】
【００１２】
【図１】本発明に係る実施例のアームレストの拡幅用アタッチメントを示し、（ａ）は内側面側から見た斜視図であり、（ｂ）は外側面側から見た斜視図である。
【図２】同アタッチメントにおけるボスプレートの取付位置を示し、（ａ）は左腕用のときの側面図、（ｂ）は右腕用のときの側面図である。
【図３】純正アームレストとこれに取り付ける前の同アタッチメントの基部を切断して示す端面図である。
【図４】純正アームレストとこれに取り付けた後の同タッチメントの基部を切断して示す端面図である。
【図５】同アタッチメントの取付手順を示し、（ａ）は取付前の座席及び純正アームレストの斜視図、（ｂ）は純正アームレストからキャップと取付ボルトを外したときの斜視図である。
【図６】同アタッチメントの取付手順を示し、（ａ）はアタッチメント本体のあてがい方を示す斜視図、（ｂ）はアタッチメント本体を取り付けたときの斜視図である。
【図７】同アタッチメントの取付手順を示し、（ａ）はアタッチメント本体にカバーをかけるときの斜視図、（ｂ）はカバーをかけて取り付けが完了したときの斜視図である。
【発明を実施するための形態】
【００１３】
アタッチメント本体（２１）と、アタッチメント本体（２１）を純正アームレスト（１０）に取り付けるための取付部としてのボスプレート（３５）と、ボスプレート（３５）を純正アームレスト（１０）に取り付けるための取付用ボルト（４２）と、アタッチメント本体（２１）を覆うカバー（５０）とからなる拡幅用アタッチメント（２０）である。
アタッチメント本体（２１）は、それぞれ純正アームレスト（１０）の上面の上方、前面の前方、下面の下方、及び後面の後方に配される、該上面の幅より大きい幅を有する板状の上面部（２３）、前面部（２４）、下面部（２５）、及び後面部（２６）が、純正アームレスト（１０）の側面視より一回り大きい周状に連続してなる周面体（２２）と、該周面体（２２）の内部の幅方向中間部に設けられて、該内部を純正アームレスト（１０）が挿入される内側面側の純正アームレスト挿入空間（２９）と外側面側の空間（３０）とに隔てる隔壁（２７）とからなり、
ボスプレート（３５）は、隔壁（２７）の基部に取り付けられるプレート部（３６）と、該プレート部（３６）の中心部から突出する筒状のボス部（３７）とからなり、
取付用ボルト（４２）は、ボス部（３７）に挿通して純正アームレスト（１０）を取り付けるものである。
隔壁（２７）におけるボスプレート（３５）の取付位置を上下方向に変更可能に構成する。
アタッチメント本体（２１）を左腕用と右腕用とで反転させて用いる。
【実施例】
【００１４】
図１〜図７は、実施例に係る拡幅用アタッチメント２０を示している。この拡幅用アタッチメント２０は、図５〜図７に示すように、自動車用の座席に既存の純正アームレスト１０に取り付けて、純正アームレスト１０の幅を拡張するためのものである。そこでまず、この純正アームレスト１０とその公知の取付構造について説明する。
【００１５】
図３及び図５（ａ）に示すように、座席１の背当２の側面部３には金属製の取付用ベース４が内蔵されており、背当２の表面生地５を切り欠いた口に取付用ベース４の取付面６が現れている。取付面６には、雌ネジを切った取付穴７が形成されるとともに、該取付穴７からやや離れた位置に嵌合用の位置決め穴８が形成されている。純正アームレスト１０は、所定幅（例えば上面において４〜８ｃｍ）、所定高さ（例えば基部側において８〜１５ｃｍ）、所定前後長（例えば２５〜４５ｃｍ）を有して、基部から前方へアーム状に延びるものであり、基部において次の取付構造により前記取付用ベース４に取り付けられている。
【００１６】
純正アームレスト１０の基部には、内側面側（背当２を向く側面側。以下同じ。）に不動部１３が設けられるとともに、該不動部１３に対して相対回動可能に取り付けられて外側面側に開口する筒状の可動部１４が設けられており、該不動部１３と可動部１４とにより純正アームレスト１０の傾動機構１２が構成されている。不動部１３には、その中心部にボルト挿通穴１５が形成されるとともに、該ボルト挿通穴１５からやや離れた位置に前記位置決め穴８に嵌合する位置決めピン１６が設けられている。そして、位置決めピン１６を位置決め穴８に嵌合して位置決めしながら、不動部１３を取付面６にあてがい、取付ボルト１７をボルト挿通穴１５に挿通して取付穴７に螺合して締め付けることにより、純正アームレスト１０は取付用ベース４に取り付けられている。可動部１４の開口は、取り外し可能なキャップ１１が取り付けられて塞がれている。
【００１７】
図３に示すように、取付用ベース４に取り付けられた後の傾動機構１２は、不動部１３が取付用ベース４及び取付ボルト１７とともに不動となり、可動部１４が不動部１３に対して可動（回転可能）となるため、純正アームレスト１０は可動部１４とともに、上方へ傾動させて背当２の側面部に沿わせた図５（ａ）の２点鎖線に示す収納位置と、前方に繰り出すように傾動させた図５（ａ）の実線に示す繰出位置（使用時）とに、傾動することができる。また、傾動装置１２は、純正アームレスト１０を収納位置と繰出位置との間の任意の傾動角度で止めることができる角度調節ロック機能も備えている。取付ボルト１７の頭部と不動部１３との間には、薄平ワッシャ１８と、ばねワッシャ１９とが介装されて、取付ボルト１７の緩みを防止している。
【００１８】
さて、本実施例の拡幅用アタッチメント２０は、純正アームレスト１０より一回り大きく形成された合成樹脂製のアタッチメント本体２１と、アタッチメント本体２１を純正アームレスト１０に取り付けるための取付部としての金属製のボスプレート３５と、ボスプレート３５を純正アームレスト１０（及び取付用ベース４）に取り付けるための取付用ボルト４２と、アタッチメント本体２１を覆うカバー５０とからなる。
【００１９】
アタッチメント本体２１は、それぞれ純正アームレスト１０の上面の上方、前面の前方、下面の下方、及び後面の後方に配される、該上面の幅より大きい幅（例えば１０〜１５ｃｍ）を有し、厚さが２．５〜４ｍｍの板状の上面部２３、前面部２４、下面部２５、及び後面部２６が、純正アームレスト１０の側面視より一回り大きい周状に連続してなる周面体２２と、該周面体２２の内部の幅方向中間部に設けられて、該内部を純正アームレスト１０が挿入される内側面側の純正アームレスト挿入空間２９と外側面側の空間３０とに隔てる隔壁２７と、周面体２２及び隔壁２７を補強するリブ２８とが、合成樹脂で一体成形されてなるものである。隔壁２７の基部には、ボス挿通穴３１と、該ボス挿通穴３１の回りのボスプレート取付穴３２ａ、３２ｂとが形成されている。リブ２８は、隔壁２７の外周面側には、周面体２２とも連結するようにして背が高く形成されており、隔壁２７の内周面側には、純正アームレスト挿入空間２９を減じないように（前記外周面側よりも）背が低く形成されている。
【００２０】
ボスプレート３５は、隔壁２７の基部に取り付けられるプレート部３６と、該プレート部３６の中心部から突出する筒状のボス部３７とが一体化されてなるものである。ボス部３７の回りのプレート部３６には、プレート穴３８が形成されている。
【００２１】
ところで、アタッチメント本体２１は、種々の車種の座席の互いに寸法の異なる純正アームレスト１０に取り付けられるように、純正アームレスト挿入空間２９を大きい部類の純正アームレスト１０に合わせて大き目に形成する必要がある。一方、純正アームレスト１０に拡幅用アタッチメント２０を取り付けたときに、肘を置く上面高さが高くなりすぎないようにするため、板状の上面部２３の下面と純正アームレスト１０の上面との間の隙間距離は０〜３ｍｍとなるようにしたい。また、純正アームレスト１０の基部において、ボルト挿通穴１５から純正アームレスト１０の上面までの距離と、ボルト挿通穴１５から純正アームレスト１０の下面までの距離とは、相違することが多く、図示例は後者の距離の方が長い例である。
これらの事情に対応するには、（例えば運転席の）背当の左側面部に取り付けられた左腕用の純正アームレストに向けてと、（例えば助手席の）背当の左側面部に取り付けられた左腕用の純正アームレストに向けてとで、前記距離の相違に対応してボス部３７から上面部２３までの距離とボス部３７から下面部２５までの距離とを相違させた、２種類の拡幅用アタッチメント２０を用意する必要が生じる。
【００２２】
しかし、本実施例では、１種類のアタッチメント本体２１を、図２（ａ）に示す左腕用と図２（ｂ）に示す右腕用とで反転させて用い（純正アームレスト１０の形状は単純なので、アタッチメント本体２１の形状を上下対称形にしておけば１種類で済む。）、隔壁２７におけるボスプレート３５の取付位置を上下方向に変更可能に構成して、上記の事情に対応している。具体的には、前記ボス挿通穴３１を上下に長く形成するとともに、前記ボスプレート取付穴３２ａ、３２ｂを上下２種類の位置に形成することにより、図２（ａ）に示すようにプレート穴３８を一方のボスプレート取付穴３２ａに合わせてボルト３９で止めれば左腕用となり、図２（ｂ）に示すようにプレート穴３８を他方のボスプレート取付穴３２ｂに合わせてボルト３９で止めれば右腕用となるようにしている。また、図２（ａ）（ｂ）のいずれにおいても、純正アームレスト挿入空間２９に純正アームレスト１０が挿入されたときには、板状の上面部２３の下面と純正アームレスト１０の上面（外面）との間の距離が、０〜２ｍｍになるようにしている。下面部２５の上面（内面）と純正アームレスト１０の下面との間の距離はより大きくてもよく、この距離で純正アームレスト１０とアタッチメント本体２１との寸法差を吸収している。
【００２３】
図４に示すように、プレート部３６は隔壁２７の外側面側にあてがわれる。ボス部３７は隔壁２７の内側面側に突出し、アタッチメント取付時には、ボス部３７の先端面が純正アームレスト１０の不動部１３に、ベアリングワッシャ４０と薄平ワッシャ４１とを介して当接するようになっている。アタッチメント本体２１がこれに挿入された純正アームレスト１０とともに傾動するときには、ボスプレート３５も回動するから、ボス部３７の先端面が不動部１３に対して円滑に回動できるように、ベアリングワッシャ４０が用いられている。取付用ボルト４２は、このボス部３７に挿通して前記取付穴７に螺合することにより純正アームレスト１０を取り付けるものであるため、ボス部３７の長さ分だけ前記純正用の取付ボルト１７より長いものが用いられている。取付用ボルト４２の頭部とボスプレート３５との間には、厚平ワッシャ４３と薄平ワッシャ４４とベアリングワッシャ４５とが介装されて、取付用ボルト４２の緩みを防止しているとともに、ボスプレート３５が不動の取付用ボルト４２に対して円滑に回動できるようにしている。
【００２４】
カバー５０は、アタッチメント本体２１の外形より僅かに大きい袋状に形成されており、後部に開口可能なチャック５１が設けられている。カバー５０の材料としては、本革、合成革、織布、起毛布、植毛布等を例示することができ、カバー内面部には発泡ウレタン等のクッション材を設けることが好ましい。カバー５０の厚さは、板状の上面部２３を覆う部分については厚いクッション材を用いて８〜１５ｍｍとしているが、その他の部分についてはこれと同じでも、より薄くてもよい。
【００２５】
以上にように構成された拡幅用アタッチメント２０を、純正アームレスト１０に取り付ける方法及び手順について説明する。
（１）図５（ｂ）及び図３に示すように、純正アームレスト１０のキャップ１１を取り外して可動部１４の開口を現し、取付ボルト１７を取り外す。
（２）図６（ａ）（ｂ）及び図４に示すように、拡幅用アタッチメント２０を純正アームレスト１０にあてがい、純正アームレスト挿入空間２９に純正アームレスト１０が挿入されるようにする。そして、取付用ボルト４２をボス部３７及びボルト挿通穴１５に挿通して取付穴７に螺合し、ボス部３７を不動部１３に締め付けることにより、拡幅用アタッチメント２０を純正アームレスト１０に取り付ける。各ワッシャ４０，４１、４３，４４，４５については、前述したとおりである。
（３）図７（ａ）（ｂ）に示すように、カバー５０のチャック５１を開き、その開口からアタッチメント本体２１にカバー５０を被せれば、拡幅用アタッチメント２０の取り付けが完了する。
【００２６】
本実施例の拡幅用アタッチメント２０によれば、次の効果が得られる。
（１）純正アームレスト１０を取り外したり保管したりしなくても、純正アームレスト１０が付いたままで幅を拡張することができる。
（２）付いたままの純正アームレスト１０が強度を発揮するので、拡幅用アタッチメント２０は自身の強度を（前記リブ２８などで）確保すれば済むため安価に構成できる。
（３）純正アームレスト１０を繰出状態と収納状態とに傾動する傾動機構（傾動機構がさらに角度調節ロック機構を備えている場合もある）が、座席側ではなく純正アームレスト１０側に設けられていた場合でも、純正アームレスト１０は取り外すことなく付いたままなので、その傾動機構を利用することができる。すなわち、拡幅用アタッチメント２０は純正アームレスト１０とともに傾動し、角度調節もできる。
（４）前記のとおり、ボスプレート３５の取り付け位置を変えるだけで、１種類の拡幅用アタッチメント２０を、左腕用の純正アームレストにも左腕用の純正アームレストにも取り付けることができ、従来のように２種類用意する必要がない。
【００２７】
なお、本発明は上記実施例の構成に限定されるものではなく、例えば下記のように、発明の趣旨から逸脱しない範囲で変更して具体化することもできる。
【００２８】
（ア）アタッチメント本体２１は、少なくとも前記幅の板状の上面部２３を備えたものであればよく、その他の部位は変更（例えば幅を小さくしたりする等）又は省略（例えば下面部を省略する等）することができる。板状の上面部２３に直接又は他部を介して取付部（実施例でポスプレート３５）が連結されていればよい。
（イ）拡幅用アタッチメントは、自動車のほか電車等の各種乗物用の座席、あるいは事務用、観覧用等の各種用途の座席に取り付けられたアームレストを拡幅するためのものとして実施することもできる。
【符号の説明】
【００２９】
１    座席
２    背当
３    側面部
４    取付用ベース
５    表面生地
６    取付面
７    取付穴
８    位置決め穴
１０    純正アームレスト
１１    キャップ
１２    傾動機構
１３    不動部
１４    可動部
１５    ボルト挿通穴
１６    位置決めピン
１７    取付ボルト
１８    薄平ワッシャ
１９    ばねワッシャ
２０    拡幅用アタッチメント
２１    アタッチメント本体
２２    周面体
２３    上面部
２４    前面部
２５    下面部
２６    後面部
２７    隔壁
２８    リブ
２９    純正アームレスト挿入空間
３０    空間
３１    ボス挿通穴
３２ａ，３２ｂ    ボスプレート取付穴
３５    取付部としてのボスプレート
３６    プレート部
３７    ボス部
３８    プレート穴
３９    ボルト
４０    ベアリングワッシャ
４１    薄平ワッシャ
４２    取付用ボルト
４３    厚平ワッシャ
４４    薄平ワッシャ
５０    カバー
５１    チャック
【図１】
2011051556.tif 000003
【図２】
2011051556.tif 000004
【図３】
2011051556.tif 000005
【図４】
2011051556.tif 000006
【図５】
2011051556.tif 000007
【図６】
2011051556.tif 000008
【図７】
2011051556.tif 000009